(57)【要約】【課題】空気調和機の両端部を覆うパッドセットの製造コストを抑制する。【解決手段】本発明によるパッドセット（１００）は第１パッド（１０）と第２パッド（２０）とを含む。第１パッド（１０）は開口面（１０ｐ）を有する。開口面（１０ｐ）は基準部（１２）と凹部（１４）とを有する。凹部（１４）は基準部（１２）から凹んだ穴（１４ｈ）を規定する。第２パッド（２０）は開口面（２０ｐ）を有する。開口面（２０ｐ）は基準部（２２）と凹部（２４）とを有する。凹部（２４）は基準部（２２）から凹んだ穴（２４ｈ）を規定する。第１パッド（１０）の穴（１４ｈ）の形状は第２パッド（２０）の穴（２４ｈ）と略等しい。【選択図】図４
2019099242.tif 000002
【特許請求の範囲】
【請求項１】
空気調和機のパッドセットであって、
前記空気調和機の一方の端部を覆う第１パッドと、
前記空気調和機の他方の端部を覆う第２パッドと
を含み、
前記第１パッドは、基準部と、前記基準部から凹んだ穴を規定する凹部とを有する開口面を有し、
前記第２パッドは、基準部と、前記基準部から凹んだ穴を規定する凹部とを有する開口面を有し、
前記第１パッドの前記穴の形状は前記第２パッドの前記穴の形状と略等しい、パッドセット。
【請求項２】
前記第１パッドの前記開口面を平面視した場合、前記第１パッドの前記穴は対称面を基準とする面対称形状を有し、
前記第２パッドの前記開口面を平面視した場合、前記第２パッドの前記穴は対称面を基準とする面対称形状を有する、請求項１に記載のパッドセット。
【請求項３】
前記第１パッドの前記穴の前記対称面は、前記第１パッドの前記穴を規定する内側面の一部と略平行であり、
前記第２パッドの前記穴の前記対称面は、前記第２パッドの前記穴を規定する内側面の一部と略平行である、請求項２に記載のパッドセット。
【請求項４】
前記第１パッドの前記穴の前記対称面は、前記第１パッドの前記穴を規定する内側面と交差し、
前記第２パッドの前記穴の前記対称面は、前記第２パッドの前記穴を規定する内側面と交差する、請求項２に記載のパッドセット。
【請求項５】
前記第２パッドには、前記穴と連結する連結穴が設けられる、請求項１から４のいずれかに記載のパッドセット。
【請求項６】
前記第１パッドの形状は前記第２パッドの形状と略等しい、請求項１から５のいずれかに記載のパッドセット。
【請求項７】
空気調和機と、
前記空気調和機の一方の端部を覆う第１パッドと、
前記空気調和機の他方の端部を覆う第２パッドと、
前記第１パッドおよび前記第２パッドで覆われた前記空気調和機を包装する包装部材と
を備え、
前記第１パッドは、基準部と、前記基準部から凹んだ穴を規定する凹部とを有する開口面を有し、
前記第２パッドは、基準部と、前記基準部から凹んだ穴を規定する凹部とを有する開口面を有し、
前記第１パッドの前記穴の形状は前記第２パッドの前記穴の形状と略等しく、
前記包装部材は、第１方向に順番に連結された第１面、第２面、第３面および第４面と、前記第４面と前記第１方向に連結され、前記第１面と前記４面とを接続する接続部とを有する、空気調和機梱包体。
【発明の詳細な説明】
【技術分野】
【０００１】
本発明はパッドセットおよび空気調和機梱包体に関する。
【背景技術】
【０００２】
空気調和機は、空気の温度、湿度または清浄度を調整するために用いられる。典型的には、空気調和機は熱交換機、ファン、フィルター等の内部部品を有しており、これらの内部部品は筐体内に配置される。
【０００３】
一般に、空気調和機の筐体は長手方向に延びた形状を有している。空気調和機の搬送または保管時に、空気調和機の筐体の両端に緩衝材としてパッドが装着される。空気調和機に緩衝材を装着することにより、空気調和機を梱包した梱包装置に対して搬送中または保管中に衝撃が加わっても、空気調和機に対するダメージを低減できる（例えば、特許文献１）。特許文献１の梱包装置では、空気調和機の両側部に緩衝材を挿入するとともに、空気調和機の天面部を覆う主ケースを配置し、緩衝材と主ケースを係合させて空気調和機を梱包している。
【先行技術文献】
【特許文献】
【０００４】
【特許文献１】特開２０００−３４４２９１号公報
【発明の概要】
【発明が解決しようとする課題】
【０００５】
典型的には、緩衝材は金型で作製される。特許文献１の梱包装置では空気調和機の両側を別個の緩衝材で覆うが、空気調和機の右側部を覆う右側緩衝材の形状は空気調和機の左側部を覆う左側緩衝材の形状とは異なる。このため、特許文献１の梱包装置では、空気調和機の右側および左側にそれぞれ緩衝材を装着する場合、右側用緩衝材および左側用緩衝材をそれぞれ用意する必要がある。したがって、空気調和機の両端部をバッドで覆う場合、右側用パッドのための金型および左側用パッドのための金型を別途作製する必要がある。このため、金型の作製コストおよび保管コストならびにパッドの保管コストが生じることになり、その結果、パッドセットの製造コストが増大していた。
【０００６】
本発明は上記課題に鑑みてなされたものであり、その目的は、製造コストを抑制するパッドセットおよび空気調和機梱包体を提供することにある。
【課題を解決するための手段】
【０００７】
本発明に係るパッドセットは空気調和機のパッドセットである。前記パッドセットは、第１パッドと、第２パッドとを含む。前記第１パッドは、前記空気調和機の一方の端部を覆う。前記第２パッドは、前記空気調和機の他方の端部を覆う。前記第１パッドは開口面を有する。前記開口面は基準部と凹部とを有する。前記凹部は前記基準部から凹んだ穴を規定する。前記第２パッドは開口面を有する。前記開口面は基準部と凹部とを有する。前記凹部は前記基準部から凹んだ穴を規定する。前記第１パッドの前記穴の形状は前記第２パッドの前記穴の形状と略等しい。
【０００８】
本発明に係る空気調和機梱包体は、空気調和機と、第１パッドと、第２パッドと、包装部材とを備える。前記第１パッドは、前記空気調和機の一方の端部を覆う。前記第２パッドは、前記空気調和機の他方の端部を覆う。前記包装部材は、前記第１パッドおよび前記第２パッドで覆われた前記空気調和機を包装する。前記第１パッドは開口面を有する。前記開口面は基準部と凹部とを有する。前記凹部は前記基準部から凹んだ穴を規定する。前記第２パッドは開口面を有する。前記開口面は、基準部と凹部とを有する。前記凹部は前記基準部から凹んだ穴を規定する。前記第１パッドの前記穴の形状は前記第２パッドの前記穴の形状と略等しい。前記包装部材は、第１方向に順番に連結された第１面、第２面、第３面および第４面と、前記第４面と前記第１方向に連結され、前記第１面と前記４面とを接続する接続部とを有する。
【発明の効果】
【０００９】
本発明によれば、製造コストを抑制したパッドセットおよび空気調和機梱包体を提供できる。
【図面の簡単な説明】
【００１０】
【図１】本発明による実施形態１の空気調和機梱包体の模式図である。
【図２】（ａ）は実施形態１の空気調和機梱包体に用いられる空気調和機の模式的な正面図であり、（ｂ）は空気調和機の模式的な斜視図である。
【図３】（ａ）は実施形態１の空気調和機梱包体に用いられる空気調和機の模式的な左側面図であり、（ｂ）は空気調和機の模式的な右側面図である。
【図４】（ａ）は実施形態１のパッドセットにおける第１パッドの模式的な斜視図であり、（ｂ）は実施形態１のパッドセットにおける第２パッドの模式的な斜視図である。
【図５】（ａ）は比較例の空気調和機梱包体の模式図であり、（ｂ）は比較例のパッドセットにおける第１パッドの模式的な正面図であり、（ｃ）は比較例のパッドセットにおける第２パッドの模式的な正面図である。
【図６】（ａ）は実施形態１のパッドセットにおける第１パッドの模式的な正面図であり、（ｂ）は実施形態１のパッドセットにおける第２パッドの模式的な正面図である。
【図７】（ａ）は実施形態１の空気調和機梱包体において空気調和機の装着された第１パッドを示す模式図であり、（ｂ）は実施形態１の空気調和機梱包体において空気調和機の装着された第２パッドを示す模式図である。
【図８】実施形態１のパッドセットにおける第１パッドおよび第２パッドを製造するための製造装置の模式図である。
【図９】実施形態１の空気調和機梱包体の模式的な分解斜視図である。
【図１０】（ａ）は実施形態１の空気調和機梱包体における包装部材の模式的な展開図であり、（ｂ）は折り畳まれた包装部材の模式的な断面図である。
【図１１】（ａ）は実施形態１のパッドセットにおける第１パッドの模式的な正面図であり、（ｂ）は実施形態１のパッドセットにおける第２パッドの模式的な正面図である。
【図１２】（ａ）は本発明による実施形態２のパッドセットにおける第１パッドの模式的な正面図であり、（ｂ）は実施形態２のパッドセットにおける第２パッドの模式的な正面図である。
【図１３】（ａ）は実施形態２の空気調和機梱包体において空気調和機の装着された第１パッドを示す模式図であり、（ｂ）は実施形態１の空気調和機梱包体において空気調和機の装着された第２パッドを示す模式図である。
【図１４】（ａ）は実施形態２のパッドセットにおける第１パッドの模式的な正面図であり、（ｂ）は実施形態２のパッドセットにおける第２パッドの模式的な正面図である。
【図１５】（ａ）は本発明によるパッドセットの実施形態３における第１パッドの模式的な正面図であり、（ｂ）は実施形態３のパッドセットにおける第２パッドの模式的な正面図であり、（ｃ）は第２パッドの模式的な断面図である。
【発明を実施するための形態】
【００１１】
以下、図面を参照して本発明によるパッドセットおよび空気調和機梱包体の実施形態を説明する。なお、図中、同一または相当部分には同一の参照符号を付して説明を繰り返さない。
【００１２】
まず、図１を参照して本発明による実施形態１のパッドセット１００および空気調和機梱包体２００を説明する。空気調和機梱包体２００は、パッドセット１００と、空気調和機３０とを備える。パッドセット１００は空気調和機３０の両端部を覆う。
【００１３】
空気調和機３０は空気の温度、湿度または清浄度を調整する。典型的には、空気調和機３０は室内に配置される。例えば、空気調和機３０は、空気の加熱および冷却のうちの一方のみを実行可能な機械であってもよく、あるいは、空気の加熱および冷却の両方を実行可能な機械であってもよい。空気調和機３０はエアコンディショナーと呼ばれることがある。
【００１４】
本実施形態のパッドセット１００は、第１パッド１０と、第２パッド２０とを含む。第１パッド１０および第２パッド２０は発泡体を含む発泡部材を含むことが好ましい。例えば、第１パッド１０および第２パッド２０は発泡ポリオレフィン系樹脂または発泡ゴムから構成される。
【００１５】
空気調和機３０は筐体３０Ｈを有する。筐体３０Ｈの内部には、送風ファン、室内熱交換機、フィルター等が配置されている。
【００１６】
空気調和機３０の筐体３０Ｈは長手方向に延びている。Ｘ方向は空気調和機３０の延びている方向であり、Ｙ方向は空気調和機３０の正面および背面が向いている方向である。また、Ｚ方向は空気調和機３０の上面および底面が向いている方向である。なお、Ｙ方向およびＺ方向はそれぞれＸ方向に対して垂直である。
【００１７】
第１パッド１０は、空気調和機３０の一方の端部３０Ｌに装着され、空気調和機３０の一方の端部３０Ｌを覆う。第２パッド２０は、空気調和機３０の他方の端部３０Ｒに装着され、空気調和機３０の他方の端部３０Ｒを覆う。ここでは、第１パッド１０は空気調和機３０を正面視した場合の左側に配置されており、第２パッド２０は空気調和機３０を正面視した場合の右側に配置されている。
【００１８】
本明細書において、使用時の空気調和機３０を正面視した場合の右側を＋Ｘ方向とし、左側を−Ｘ方向とする。また、使用時の空気調和機３０の正面側を＋Ｙ方向とし、空気調和機３０の背面側を−Ｙ方向とする。また、使用時の空気調和機３０の上面側を＋Ｚ方向とし、空気調和機３０の底面側を−Ｚ方向とする。
【００１９】
なお、図１では、空気調和機３０は使用時の向きに従って示されており、＋Ｚ方向を向いている上面が鉛直上方に位置しているが、空気調和機３０の搬送および保管時には、空気調和機３０の上面が鉛直上方に位置しているとは限らないことに留意されたい。例えば、空気調和機３０の搬送および保管時には、空気調和機３０の正面が鉛直上方に位置し、空気調和機３０の背面が鉛直下方に位置するように配置されてもよい。この場合、鉛直上方が＋Ｙ方向を示し、鉛直下方が−Ｙ方向を示すことになる。
【００２０】
ここでは、第１パッド１０は、空気調和機３０の−Ｘ方向側の端部３０Ｌに−Ｘ方向側から＋Ｘ方向側に向けて装着され空気調和機３０の−Ｘ方向側の端部３０Ｌを覆う。また、第２パッド２０は、空気調和機３０の＋Ｘ方向側の端部３０Ｒに＋Ｘ方向側から−Ｘ方向側に向けて装着され空気調和機３０の＋Ｘ方向側の端部３０Ｒを覆う。
【００２１】
図２および図３を参照して本実施形態のパッドセット１００を装着する前の空気調和機３０を説明する。図２（ａ）は空気調和機３０の模式的な正面図であり、図２（ｂ）は空気調和機３０の模式的な斜視図である。
【００２２】
図２（ａ）に示すように、空気調和機３０はＸ方向に延びている。空気調和機３０の筐体３０Ｈは、端部３０Ｌと、右側（＋Ｘ方向側）の端部３０Ｒと、中央部３０Ｃとを有する。端部３０Ｌは左側（−Ｘ方向側）に位置し、端部３０Ｒは右側（＋Ｘ方向側）に位置する。中央部３０Ｃは端部３０Ｌと端部３０Ｒとの間に位置する。
【００２３】
図２（ｂ）に示すように、空気調和機３０の筐体３０Ｈは、正面３０Ｆと、背面３０Ｂと、上面３０Ｕと、底面３０Ｄと、左側面３０Ｓ１と、右側面３０Ｓ２とを有する。ここでは、左側面３０Ｓ１は−Ｘ方向側に位置し、右側面３０Ｓ２は＋Ｘ方向側に位置する。正面３０Ｆは＋Ｙ方向側に位置し、背面３０Ｂは−Ｙ方向側に位置する。上面３０Ｕは＋Ｚ方向側に位置し、底面３０Ｄは−Ｚ方向側に位置する。
【００２４】
なお、空気調和機３０を使用する際には、空気調和機３０は、背面３０Ｂが空気調和機３０の設置される壁と対向するように配置される。この場合、空気調和機３０の上面３０Ｕが鉛直上方に向いており、空気調和機３０の底面３０Ｄが鉛直下方に向いている。
【００２５】
空気調和機３０において、正面３０Ｆの上側はテーパー状に形成されている。また、正面３０Ｆの下側もテーパー状に形成されている。正面３０Ｆの上側のテーパー状は正面３０Ｆの左端から右端にまでわたる。同様に、正面３０Ｆの下側のテーパー状は正面３０Ｆの左端から右端にまでわたる。なお、正面３０Ｆの下側においてテーパー状に変化する領域の面積は正面３０Ｆの上側においてテーパー状に変化する領域の面積よりも大きい。
【００２６】
正面３０Ｆと左側面３０Ｓ１との間の境界には稜線３０ＬＦが設けられる。稜線３０ＬＦは、上部３０ＬＦｕ、中部３０ＬＦｍおよび下部３０ＬＦｄを有する。上部３０ＬＦｕは、稜線３０ＬＦの上面３０Ｕ側に位置する。下部３０ＬＦｄは稜線３０ＬＦの底面３０Ｄ側に位置する。中部３０ＬＦｍは上部３０ＬＦｕと下部３０ＬＦｄとの間に位置する。
【００２７】
正面３０Ｆと右側面３０Ｓ２との間の境界には稜線３０ＲＦが設けられる。稜線３０ＲＦは、上部３０ＲＦｕ、中部３０ＲＦｍおよび下部３０ＲＦｄを有する。上部３０ＲＦｕは、稜線３０ＲＦの上面３０Ｕ側に位置する。下部３０ＲＦｄは稜線３０ＲＦの底面３０Ｄ側に位置する。中部３０ＲＦｍは上部３０ＲＦｕと下部３０ＲＦｄとの間に位置する。
【００２８】
図３（ａ）は空気調和機３０の左側面３０Ｓ１を正面視した模式図であり、図３（ｂ）は空気調和機３０の右側面３０Ｓ２を正面視した模式図である。
【００２９】
図３（ａ）に示すように、空気調和機３０の左側面３０Ｓ１を正面視する場合、−Ｙ方向側に位置する背面３０Ｂが左側に位置し、＋Ｙ方向側に位置する正面３０Ｆが右側に位置する。また、稜線３０ＬＦの上部３０ＬＦｕは右側上方に位置し、稜線３０ＬＦの中部３０ＬＦｍは右側中央に位置し、稜線３０ＬＦの下部３０ＬＦｄは右側下方に位置する。なお、空気調和機３０の左側面３０Ｓ１の形状はＹ方向に平行な線に対して線対称ではない。また、空気調和機３０の左側面３０Ｓ１を示す領域の重心点を通る任意の線のいずれも左側面３０Ｓ１の形状の線対称の対称軸にはならない。
【００３０】
図３（ｂ）に示すように、空気調和機３０の右側面３０Ｓ２を正面視する場合、−Ｙ方向側に位置する背面３０Ｂが右側に位置し、＋Ｙ方向側に位置する正面３０Ｆが左側に位置する。また、稜線３０ＲＦの上部３０ＲＦｕは左側上方に位置し、稜線３０ＲＦの中部３０ＲＦｍは左側中央に位置し、稜線３０ＲＦの下部３０ＲＦｄは左側下方に位置する。なお、空気調和機３０の右側面３０Ｓ２の形状はＹ方向に平行な線に対して線対称ではない。また、空気調和機３０の右側面３０Ｓ２を示す領域の重心点を通る任意の線のいずれも右側面３０Ｓ２の形状の線対称の対称軸にはならない。
【００３１】
図３（ａ）と図３（ｂ）との比較から理解されるように、空気調和機３０の左側面３０Ｓ１を正面視した場合の背面３０Ｂの形状は空気調和機３０の右側面３０Ｓ２を正面視した場合の背面３０Ｂの形状と対応している。また、上部３０ＲＦｕの形状は上部３０ＬＦｕの形状と対応しており、上部３０ＲＦｕは上部３０ＬＦｕと鏡面対称である。また、中部３０ＲＦｍの形状は中部３０ＬＦｍの形状と対応しており、中部３０ＲＦｍは中部３０ＬＦｍと鏡面対称である。さらに、下部３０ＲＦｄの形状は下部３０ＬＦｄの形状と対応しており、下部３０ＲＦｄは下部３０ＬＦｄと鏡面対称である。ただし、空気調和機３０の右側面３０Ｓ２の形状を任意の角度に回転させても、空気調和機３０の左側面３０Ｓ１の形状とは一致しない。
【００３２】
図１を参照して上述したように、空気調和機３０の左側面３０Ｓ１は第１パッド１０に覆われる。また、空気調和機３０の右側面３０Ｓ２は第２パッド２０に覆われる。
【００３３】
ここで、図４を参照して第１パッド１０および第２パッド２０の構成を説明する。図４（ａ）は第１パッド１０の模式的な斜視図であり、図４（ｂ）は第２パッド２０の模式的な斜視図である。
【００３４】
詳細は後述するが、第１パッド１０は開口面１０ｐを除くと略直方体形状であり、開口面１０ｐには穴１４ｈが設けられている。第１パッド１０において、略直方体形状である６面のうちの開口面１０ｐ以外の５面は概ね平坦である。一方で、第１パッド１０の開口面１０ｐは、基準部１２および凹部１４を有している。ここでは、基準部１２は平坦面を有しており、基準部１２は４つの角を有する。凹部１４は基準部１２から窪んだ穴１４ｈを規定する。穴１４ｈの形状は、図３（ａ）に示した空気調和機３０の左側面３０Ｓ１を挿入可能な形状である。
【００３５】
同様に、詳細は後述するが、第２パッド２０は開口面２０ｐを除くと略直方体形状であり、開口面２０ｐには穴２４ｈが設けられている。第２パッド２０において、略直方体形状である６面のうちの開口面２０ｐ以外の５面は概ね平坦である。一方で、第２パッド２０の開口面２０ｐは、基準部２２および凹部２４を有している。ここでは、基準部２２は平坦面を有しており、基準部２２は４つの角を有する。凹部２４は基準部２２から窪んだ穴２４ｈを規定する。穴２４ｈの形状は、図３（ｂ）に示した空気調和機３０の右側面３０Ｓ２を挿入可能な形状である。
【００３６】
本実施形態のパッドセット１００において、第１パッド１０の穴１４ｈの形状は第２パッド２０の穴２４ｈの形状と略等しい。第１パッド１０の穴１４ｈおよび第２パッド２０の穴２４ｈの詳細は後述する。
【００３７】
以下に、本実施形態のパッドセット１００を説明するのに先立ち、図２および図３を参照して上述した空気調和機３０に装着可能な比較例のパッドセット６００を説明する。
【００３８】
図５を参照して比較例のパッドセット６００および空気調和機梱包体７００を説明する。図５（ａ）は比較例の空気調和機梱包体７００の模式的な斜視図である。空気調和機梱包体７００は、比較例のパッドセット６００と空気調和機３０とを備える。パッドセット６００は空気調和機３０の両端部を覆う。なお、空気調和機３０の形状は、図２〜図３を参照して上述しており、冗長を避けるために重複する説明を省略する。
【００３９】
パッドセット６００は、第１パッド６１０と、第２パッド６２０とを備える。第１パッド６１０は空気調和機３０の端部３０Ｌを覆い、第２パッド６２０は空気調和機３０の端部３０Ｒを覆う。
【００４０】
図５（ｂ）はパッドセット６００における第１パッド６１０を＋Ｘ方向側から−Ｘ方向側に向かって正面視した模式図である。図５（ｂ）に示すように、第１パッド６１０は穴６１４ｈの設けられた開口面６１０ｐを有する。開口面６１０ｐは、基準部６１２と凹部６１４とを有する。凹部６１４は基準部６１２から凹んだ穴６１４ｈを規定する。
【００４１】
基準部６１２と凹部６１４との境界線の形状は図３（ａ）に示した空気調和機３０の左側面３０Ｓ１の形状と略等しい。このため、第１パッド６１０を空気調和機３０の端部３０Ｌに装着した場合、第１パッド６１０は空気調和機３０の端部３０Ｌのほぼ全面と隣接する。例えば、第１パッド６１０が空気調和機３０の端部３０Ｌに装着された場合、第１パッド６１０の凹部６１４と空気調和機３０との間隔は約１ｍｍ〜５ｍｍである。
【００４２】
図５（ｃ）はパッドセット６００における第２パッド６２０を−Ｘ方向側から＋Ｘ方向側に向かって正面視した模式図である。図５（ｃ）に示すように、第２パッド６２０は穴６２４ｈの設けられた開口面６２０ｐを有する。開口面６２０ｐは、基準部６２２と凹部６２４とを有する。凹部６２４は基準部６２２から凹んだ穴６２４ｈを規定する。
【００４３】
基準部６２２と凹部６２４との境界線の形状は図３（ｂ）に示した空気調和機３０の右側面３０Ｓ２の形状と略等しい。このため、第２パッド６２０を空気調和機３０の端部３０Ｒに装着した場合、第２パッド６２０は空気調和機３０の端部３０Ｒのほぼ全面と隣接する。例えば、第２パッド６２０が空気調和機３０の端部３０Ｒに装着された場合、第２パッド６２０の凹部６２４と空気調和機３０との間隔は約１ｍｍ〜５ｍｍである。
【００４４】
なお、図５（ｂ）と図５（ｃ）との比較から理解されるように、穴６１４ｈの形状は穴６２４ｈの形状と鏡面対称である。このため、第１パッド６１０は、空気調和機３０の端部３０Ｌに装着可能である一方、空気調和機３０の端部３０Ｒには装着できない。同様に、第２パッド６２０は、空気調和機３０の端部３０Ｒに装着可能である一方、空気調和機３０の端部３０Ｌには装着できない。
【００４５】
次に、図６を参照して本実施形態のパッドセット１００を説明する。図６（ａ）はパッドセット１００における第１パッド１０を＋Ｘ方向側から−Ｘ方向側に向かって正面視した模式図である。図６（ｂ）はパッドセット１００における第２パッド２０を−Ｘ方向側から＋Ｘ方向側に向かって正面視した模式図である。
【００４６】
図６（ａ）に示すように、第１パッド１０の開口面１０ｐは、基準部１２と凹部１４とを有する。凹部１４は基準部１２から凹んだ穴１４ｈを規定する。
【００４７】
基準部１２の外周面１１は４つの面１１ａ、１１ｂ、１１ｃ、１１ｄを有する。面１１ａは面１１ｂ、１１ｄと連絡しており、面１１ｃは面１１ｂ、１１ｄと連絡する。面１１ａ、１１ｂ、１１ｄはいずれも略平坦面であり、面１１ｂ、１１ｄは面１１ａに直交する。なお、面１１ｃは略平坦面であるが、その両端に段差１１ｃａ、１１ｃｂが設けられる。例えば、面１１ａのＺ方向に沿った長さは２０ｃｍ以上６０ｃｍ以下である。また、面１１ｂのＹ方向に沿った長さは２０ｃｍ以上６０ｃｍ以下である。
【００４８】
面１１ｃは、本体部１１ｃ１と、端部１１ｃ２、１１ｃ３と、連絡部１１ｃｐ、１１ｃｑとを有する。端部１１ｃ２は、面１１ｃのうちの面１１ｂ側に位置しており、面１１ｂと連絡する。連絡部１１ｃｐは、本体部１１ｃ１と端部１１ｃ２とを連絡する。端部１１ｃ３は、面１１ｃのうちの面１１ｄ側に位置しており、面１１ｄと連絡する。連絡部１１ｃｑは、本体部１１ｃ１と端部１１ｃ３とを連絡する。本体部１１ｃ１および端部１１ｃ２、１１ｃ３はいずれも面１１ａと略平行である。本体部１１ｃ１のＺ方向の長さは端部１１ｃ２、１１ｃ３のＺ方向の長さの和よりも大きい。連絡部１１ｃｐ、１１ｃｑはいずれも面１１ｂ、１１ｄと略平行である。端部１１ｃ２、１１ｃ３は本体部１１ｃ１よりも面１１ａ側に位置する。本体部１１ｃ１が連絡部１１ｃｐを介して端部１１ｃ２と連絡することにより、段差１１ｃａが形成される。また、本体部１１ｃ１が連絡部１１ｃｑを介して端部１１ｃ３と連絡することにより、段差１１ｃｂが形成される。
【００４９】
第１パッド１０において、穴１４ｈは凹部１４によって規定される。凹部１４は４つの内側面１４ａ、１４ｂ、１４ｃ、１４ｄおよび底面１４ｅを有する。内側面１４ａ、１４ｂ、１４ｃ、１４ｄのそれぞれは底面１４ｅと連絡する。内側面１４ａは内側面１４ｂ、１４ｄと連絡しており、内側面１４ｃは内側面１４ｂ、１４ｄと連絡する。
【００５０】
内側面１４ａは略平坦面である。内側面１４ｂ、１４ｄは内側面１４ａの近傍では内側面１４ａと略直交するが、内側面１４ｃの近傍では内側面１４ｂ、１４ｄは互いに近づく。なお、内側面１４ａが略平坦面であるのは、内側面１４ａが図２（ｂ）に示した空気調和機３０の背面３０Ｂと対向するためである。本明細書では、凹部１４のうち空気調和機３０の背面３０Ｂと対向する内側面を基準内側面と記載することがある。第１パッド１０において、内側面１４ａが基準内側面となる。
【００５１】
基準部１２は、部分１２ａと、部分１２ｂと、部分１２ｃと、部分１２ｄとを含む。部分１２ａは、外周面１１の面１１ａと凹部１４の内側面１４ａとによって規定される。部分１２ｂは、外周面１１の面１１ｂと凹部１４の内側面１４ｂとによって規定される。部分１２ｃは、外周面１１の面１１ｃと凹部１４の内側面１４ｃとによって規定される。部分１２ｄは、外周面１１の面１１ｄと凹部１４の内側面１４ｄとによって規定される。
【００５２】
内側面１４ａ、１４ｂ、１４ｃ、１４ｄは基準部１２に対して直交する。詳細には、内側面１４ａは部分１２ａと連絡して部分１２ａに対して直交しており、内側面１４ｂは部分１２ｂと連絡して部分１２ｂに対して直交しており、内側面１４ｃは部分１２ｃと連絡して部分１２ｃに対して直交しており、内側面１４ｄは部分１２ｄと連絡して部分１２ｄに対して直交している。
【００５３】
第１パッド１０では、第１パッド１０の開口面１０ｐを平面視した場合、第１パッド１０の穴１４ｈは対称面Ｓ１を基準とする面対称形状である。対称面Ｓ１はＹ方向に平行である。このため、第１パッド１０において、対称面Ｓ１上の任意の点において、対称面Ｓ１上の当該点からＺ方向一方側に直交する仮想線が凹部１４に達する点までの距離と、対称面Ｓ１上の当該点からＺ方向他方側に直交する仮想線が凹部１４に達する点までの距離とは略等しい。
【００５４】
ここでは、対称面Ｓ１は、内側面１４ｂ、１４ｄのうちの内側面１４ａ近傍部分と略平行であり、内側面１４ａ、１４ｃのそれぞれのＺ方向における中央を通る。また、対称面Ｓ１は基準対称面となる内側面１４ａと直交する。
【００５５】
さらに、第１パッド１０では、第１パッド１０の開口面１０ｐを平面視した場合、基準部１２の外周面１１が対称面Ｓ１を基準とする面対称形状であることが好ましい。この場合、第１パッド１０において、対称面Ｓ１上の任意の点において、対称面Ｓ１上の当該点からＺ方向一方側に直交する仮想線が外周面１１に達する点までの距離と、対称面Ｓ１上の当該点からＺ方向他方側に直交する仮想線が外周面１１に達する点までの距離とは略等しい。ここでは、対称面Ｓ１は、面１１ｂ、１１ｄと略平行であり、面１１ａ、１１ｃのそれぞれのＺ方向における中央を通る。さらに、面１１ｃの段差１１ｃａ、１１ｃｂも対称面Ｓ１に対して面対称であることが好ましい。
【００５６】
なお、第１パッド１０において、面１１ｃのうちの本体部１１ｃ１と端部１１ｃ２と端部１１ｃ３とのＺ方向の長さの和は、面１１ａのＺ方向の長さよりも若干長いことが好ましい。例えば、本体部１１ｃ１と端部１１ｃ２と端部１１ｃ３とのＺ方向の長さの和と面１１ａのＺ方向の長さとの差は１ｍｍ以上２０ｍｍ以下である。この場合、面１１ｂおよび面１１ｄは互いに略平行であるものの、面１１ｃ近傍での面１１ｂと面１１ｄとの距離は面１１ａ近傍での面１１ｂと面１１ｄとの距離よりも若干長い。第１パッド１０の開口面１０ｐを正面視すると、第１パッド１０の外形は台形形状の長辺の両端に段差の設けられた形状である。
【００５７】
図６（ｂ）に示すように、第２パッド２０の開口面２０ｐは、基準部２２と凹部２４とを有する。第２パッド２０は第１パッド１０と同様の形状を有している。凹部２４は基準部２２から凹んだ穴２４ｈを規定する。
【００５８】
基準部２２の外周面２１は４つの面２１ａ、２１ｂ、２１ｃ、２１ｄを有する。面２１ａは面２１ｂ、２１ｄと連絡しており、面２１ｃは面２１ｂ、２１ｄと連絡する。面２１ａ、２１ｂ、２１ｄはいずれも略平坦面であり、面２１ｂ、２１ｄは面２１ａに直交する。なお、面２１ｃは略平坦面であるが、その両端に段差２１ｃａ、２１ｃｂが設けられる。例えば、面２１ａのＺ方向に沿った長さは２０ｃｍ以上６０ｃｍ以下である。また、面２１ｂのＹ方向に沿った長さは２０ｃｍ以上６０ｃｍ以下である。
【００５９】
面２１ｃは、本体部２１ｃ１と、端部２１ｃ２、２１ｃ３と、連絡部２１ｃｐ、２１ｃｑとを有する。端部２１ｃ２は、面２１ｃのうちの面２１ｂ側に位置しており、面２１ｂと連絡する。連絡部２１ｃｐは、本体部２１ｃ１と端部２１ｃ２とを連絡する。端部２１ｃ３は、面２１ｃのうちの面２１ｄ側に位置しており、面２１ｄと連絡する。連絡部２１ｃｑは、本体部２１ｃ１と端部２１ｃ３とを連絡する。本体部２１ｃ１および端部２１ｃ２、２１ｃ３はいずれも面２１ａと略平行である。本体部２１ｃ１のＺ方向の長さは端部２１ｃ２、１１ｃ３のＺ方向の長さの和よりも大きい。連絡部２１ｃｐ、２１ｃｑはいずれも面２１ｂ、２１ｄと略平行である。端部２１ｃ２、２１ｃ３は本体部２１ｃ１よりも面２１ａ側に位置する。本体部２１ｃ１が連絡部２１ｃｐを介して端部２１ｃ２と連絡することにより、段差２１ｃａが形成される。また、本体部２１ｃ１が連絡部２１ｃｑを介して端部２１ｃ３と連絡することにより、段差２１ｃｂが形成される。
【００６０】
第２パッド２０において、穴２４ｈは凹部２４によって規定される。凹部２４は４つの内側面２４ａ、２４ｂ、２４ｃ、２４ｄおよび底面２４ｅを有する。内側面２４ａ、２４ｂ、２４ｃ、２４ｄのそれぞれは底面２４ｅと連絡する。内側面２４ａは内側面２４ｂ、２４ｄと連絡しており、内側面２４ｃは内側面２４ｂ、２４ｄと連絡する。
【００６１】
内側面２４ａは略平坦面である。内側面２４ｂ、２４ｄは内側面２４ａの近傍では内側面２４ａと略直交するが、内側面２４ｃの近傍では内側面２４ｂ、２４ｄは互いに近づく。なお、内側面２４ａが略平坦面であるのは、内側面２４ａが図２（ｂ）に示した空気調和機３０の背面３０Ｂと対向するためである。第２パッド２０において、内側面２４ａが基準内側面となる。
【００６２】
基準部２２は、部分２２ａと、部分２２ｂと、部分２２ｃと、部分２２ｄとを含む。部分２２ａは、外周面２１の面２１ａと凹部２４の内側面２４ａとによって規定される。部分２２ｂは、外周面２１の面２１ｂと凹部２４の内側面２４ｂとによって規定される。部分２２ｃは、外周面２１の面２１ｃと凹部２４の内側面２４ｃとによって規定される。部分２２ｄは、外周面２１の面２１ｄと凹部２４の内側面２４ｄとによって規定される。
【００６３】
内側面２４ａ、２４ｂ、２４ｃ、２４ｄは基準部２２に対して直交する。詳細には、内側面２４ａは部分２２ａと連絡して部分２２ａに対して直交しており、内側面２４ｂは部分２２ｂと連絡して部分２２ｂに対して直交しており、内側面２４ｃは部分２２ｃと連絡して部分２２ｃに対して直交しており、内側面２４ｄは部分２２ｄと連絡して部分２２ｄに対して直交している。
【００６４】
第２パッド２０では、第２パッド２０の開口面２０ｐを平面視した場合、第２パッド２０の穴２４ｈは対称面Ｓ２を基準とする面対称形状である。対称面Ｓ２はＹ方向に平行である。このため、第２パッド２０において、対称面Ｓ２上の任意の点において、対称面Ｓ２上の当該点からＺ方向一方側に直交する仮想線が凹部２４に達する点までの距離と、対称面Ｓ２上の当該点からＺ方向他方側に直交する仮想線が凹部２４に達する点までの距離とは略等しい。
【００６５】
ここでは、対称面Ｓ２は、内側面２４ｂ、２４ｄのうちの内側面２４ａ近傍部分と略平行であり、内側面２４ａ、２４ｄのそれぞれのＺ方向における中央を通る。また、対称面Ｓ２は基準対称面となる内側面２４ａと直交する。
【００６６】
さらに、第２パッド２０では、第２パッド２０の開口面２０ｐを平面視した場合、基準部２２の外周面２１が対称面Ｓ２を基準とする面対称形状であることが好ましい。この場合、第２パッド２０において、対称面Ｓ２上の任意の点において、対称面Ｓ２上の当該点からＺ方向一方側に直交する仮想線が外周面２１に達する点までの距離と、対称面Ｓ２上の当該点からＺ方向他方側に直交する仮想線が外周面２１に達する点までの距離とは略等しい。ここでは、対称面Ｓ２は、面２１ｂ、２１ｄと略平行であり、面２１ａ、２１ｄのそれぞれのＺ方向における中央を通る。さらに、面２１ｃの段差２１ｃａ、２１ｃｂも対称面Ｓ２に対して面対称であることが好ましい。
【００６７】
なお、第２パッド２０において、面２１ｃのうちの本体部２１ｃ１と端部２１ｃ２と端部２１ｃ３とのＺ方向の長さの和は、面２１ａのＺ方向の長さよりも若干長いことが好ましい。例えば、本体部２１ｃ１と端部２１ｃ２と端部２１ｃ３とのＺ方向の長さの和と面２１ａのＺ方向の長さとの差は１ｍｍ以上２０ｍｍ以下である。この場合、面２１ｂおよび面２１ｄは互いに略平行であるものの、面２１ｃ近傍での面２１ｂと面２１ｄとの距離は面２１ａ近傍での面２１ｂと面２１ｄとの距離よりも若干長い。第２パッド２０の開口面２０ｐを正面視すると、第２パッド２０の外形は台形形状の長辺の両端に段差の設けられた形状である。
【００６８】
本実施形態のパッドセット１００において、図６（ａ）に示した第１パッド１０の穴１４ｈの形状は図６（ｂ）に示した第２パッド２０の穴２４ｈの形状と略等しい。なお、第１パッド１０の穴１４ｈの形状は第２パッド２０の穴２４ｈの形状と完全に等しくなくてもよい。第１パッド１０の穴１４ｈの形状が第２パッド２０の穴２４ｈの形状と概ね似ており、第１パッド１０の穴１４ｈの形状が第２パッド２０の穴２４ｈの形状と略等しければ、第１パッド１０に空気調和機３０の端部３０Ｌおよび端部３０Ｒの両方を装着でき、第２パッド２０に空気調和機３０の端部３０Ｌおよび端部３０Ｒの両方を装着できる。この場合、第１パッド１０は、空気調和機３０の端部３０Ｌに装着するだけでなく、状況に応じて、空気調和機３０の端部３０Ｒに装着することもできる。同様に、第２パッド２０は、空気調和機３０の端部３０Ｒに装着するだけでなく、状況に応じて、空気調和機３０の端部３０Ｌに装着することもできる。したがって、第１パッド１０の穴１４ｈの形状は第２パッド２０の穴２４ｈの形状と完全に等しくなくてよい。
【００６９】
ただし、第１パッド１０の穴１４ｈの形状は第２パッド２０の穴２４ｈの形状と等しいことが好ましい。この場合、第１パッド１０および第２パッド２０の製造誤差または空気調和機３０の筐体３０Ｈの製造誤差が生じても、第１パッド１０は空気調和機３０の端部３０Ｌおよび端部３０Ｒの両方に装着でき、第２パッド２０は空気調和機３０の端部３０Ｌおよび端部３０Ｒの両方に装着できる。例えば、第１パッド１０の穴１４ｈを形成するための金型を用いて第２パッド２０の穴２４ｈを形成すれば、第１パッド１０の穴１４ｈの形状を第２パッド２０の穴２４ｈの形状と等しくできる。
【００７０】
図１を参照して上述したように、第１パッド１０は空気調和機３０の端部３０Ｌに装着される。また、第２パッド２０は空気調和機３０の端部３０Ｒに装着される。
【００７１】
図７（ａ）は空気調和機梱包体２００において空気調和機３０の装着された第１パッド１０を示す模式図であり、図７（ｂ）は空気調和機梱包体２００における空気調和機３０の装着された第２パッド２０を示す模式図である。
【００７２】
図７（ａ）に示すように、第１パッド１０は空気調和機３０の端部３０Ｌを覆う。空気調和機３０の端部３０Ｌにおいて、背面３０Ｂは第１パッド１０の内側面１４ａに対向し、上面３０Ｕは第１パッド１０の内側面１４ｂに対向し、正面３０Ｆは第１パッド１０の内側面１４ｃに対向し、底面３０Ｄは第１パッド１０の内側面１４ｄに対向する。
【００７３】
なお、第１パッド１０を空気調和機３０の端部３０Ｌに装着した場合、第１パッド１０の凹部１４のほとんどは空気調和機３０の端部３０Ｌと隣接する。第１パッド１０の凹部１４と空気調和機３０との間隔は約１ｍｍ〜５ｍｍである。ただし、第１パッド１０の凹部１４のすべては空気調和機３０の端部３０Ｌと隣接しない。第１パッド１０と空気調和機３０の端部３０Ｌとの間に隙間Ｇａ、Ｇｂ、Ｇｃ、Ｇｄが生じる。
【００７４】
隙間Ｇａは、穴１４ｈにおいて部分１２ａと部分１２ｂとの境界の近傍箇所と空気調和機３０の背面３０Ｂとの間に形成される。隙間Ｇｂは、穴１４ｈにおいて部分１２ｂのうちの部分１２ｃの近傍箇所と空気調和機３０の上面３０Ｕとの間に形成される。隙間Ｇｃは、穴１４ｈにおいて部分１２ｃと部分１２ｄとの境界の近傍箇所と空気調和機３０の正面３０Ｆとの間に形成される。隙間Ｇｄは、穴１４ｈにおいて部分１２ｄのうちの部分１２ａの近傍箇所と空気調和機３０の底面３０Ｄとの間に形成される。
【００７５】
例えば、第１パッド１０の穴１４ｈのうち隙間Ｇａ、Ｇｂ、Ｇｃ、Ｇｄの和の占める割合は３０％以下であることが好ましい。隙間Ｇａ、Ｇｂ、Ｇｃ、Ｇｄの和の占める割合は、２０％以下であることがさらに好ましく、１０％以下であることがさらに好ましく、５％以下であることがさらに好ましい。
【００７６】
また、例えば、第１パッド１０における基準部１２と凹部１４との境界線に対し、隙間Ｇａ、Ｇｂ、Ｇｃ、Ｇｄと接する部分の合計の割合は３０％以下であることが好ましい。隙間Ｇａ、Ｇｂ、Ｇｃ、Ｇｄと接する部分の合計の割合は、２０％以下であることがさらに好ましく、１０％以下であることがさらに好ましく、５％以下であることがさらに好ましい。
【００７７】
上述したように、第１パッド１０において、対称面Ｓ１上の任意の点において、対称面Ｓ１上の当該点からＺ方向一方側に直交する仮想線が凹部１４に達する点までの距離と、対称面Ｓ１上の当該点からＺ方向他方側に直交する仮想線が凹部１４に達する点までの距離とは略等しい。この距離は、対称面Ｓ１上の当該点からＺ方向の両側に直交する空気調和機３０の端部３０Ｌ表面までの距離のうちのより長い距離に対応して設定されている。このため、第１パッド１０は空気調和機３０の端部３０Ｌに装着できる。
【００７８】
図７（ｂ）に示すように、第２パッド２０は空気調和機３０の端部３０Ｒを覆う。空気調和機３０の端部３０Ｒにおいて、背面３０Ｂは第２パッド２０の内側面２４ａに対向し、底面３０Ｄは第２パッド２０の内側面２４ｂに対向し、正面３０Ｆは第２パッド２０の内側面２４ｃに対向し、上面３０Ｕは第２パッド２０の内側面２４ｄに対向する。
【００７９】
なお、第２パッド２０を空気調和機３０の端部３０Ｒに装着した場合、第２パッド２０の凹部２４のほとんどは空気調和機３０の端部３０Ｒと隣接する。第２パッド２０の凹部２４と空気調和機３０との間隔は約１ｍｍ〜５ｍｍである。ただし、第２パッド２０の凹部２４のすべては空気調和機３０の端部３０Ｒと隣接しない。第２パッド２０と空気調和機３０の端部３０Ｒとの間に隙間Ｇｅ、Ｇｆ、Ｇｇ、Ｇｈが生じる。
【００８０】
隙間Ｇｅは、穴２４ｈにおいて部分２２ａと部分２２ｄとの境界の近傍箇所と空気調和機３０の背面３０Ｂとの間に形成される。隙間Ｇｆは、穴２４ｈにおいて部分２２ｂのうち部分２２ａの近傍箇所と空気調和機３０の底面３０Ｄとの間に形成される。隙間Ｇｇは、穴２４ｈにおいて部分２２ｂと部分２２ｃとの境界の近傍箇所と空気調和機３０の正面３０Ｆとの間に形成される。隙間Ｇｈは、穴２４ｈにおいて部分２２ｄのうち部分２２ｃの近傍箇所と空気調和機３０の上面３０Ｕとの間に形成される。
【００８１】
例えば、第２パッド２０の穴２４ｈのうち隙間Ｇｅ、Ｇｆ、Ｇｇ、Ｇｈの和の占める割合は３０％以下であることが好ましい。隙間Ｇｅ、Ｇｆ、Ｇｇ、Ｇｈの和の占める割合は、２０％以下であることがさらに好ましく、１０％以下であることがさらに好ましく、５％以下であることがさらに好ましい。
【００８２】
また、例えば、第２パッド２０における基準部２２と凹部２４との境界線に対し、隙間Ｇｅ、Ｇｆ、Ｇｇ、Ｇｈと接する部分の合計の割合は３０％以下であることが好ましい。隙間Ｇｅ、Ｇｆ、Ｇｇ、Ｇｈと接する部分の合計の割合は、２０％以下であることがさらに好ましく、１０％以下であることがさらに好ましく、５％以下であることがさらに好ましい。
【００８３】
また、上述したように、第２パッド２０において、対称面Ｓ２上の任意の点において、対称面Ｓ２上の当該点からＺ方向一方側に直交する仮想線が凹部２４に達する点までの距離と、対称面Ｓ２上の当該点からＺ方向他方側に直交する仮想線が凹部２４に達する点までの距離とは略等しい。この距離は、対称面Ｓ２上の当該点からＺ方向の両側に直交する空気調和機３０の端部３０Ｒ表面までの距離のうちのより長い距離に対応して設定されている。このため、第２パッド２０は空気調和機３０の端部３０Ｒに装着できる。
【００８４】
なお、第２パッド２０における隙間Ｇｅの形状は第１パッド１０における隙間Ｇａと略等しい形状であり、第２パッド２０における隙間Ｇｆは第１パッド１０における隙間Ｇｄと略等しい形状である。また、第２パッド２０における隙間Ｇｇの形状は第１パッド１０における隙間Ｇｃと略等しい形状であり、第２パッド２０における隙間Ｇｈは第１パッド１０における隙間Ｇｂと略等しい形状である。
【００８５】
また、図７（ａ）と図７（ｂ）との比較から理解されるように、第１パッド１０および第２パッド２０において凹部１４、２４の内側面１４ａ、２４ａはいずれも空気調和機３０の背面３０Ｂと対向し、内側面１４ｃ、２４ｃはいずれも空気調和機３０の正面３０Ｆと対向する。一方、第１パッド１０において凹部１４の内側面１４ｂは空気調和機３０の上面３０Ｕと対向し、第２パッド２０において凹部２４の内側面２４ｂは空気調和機３０の底面３０Ｄと対向する。また、第１パッド１０において凹部１４の内側面１４ｄは空気調和機３０の底面３０Ｄと対向し、第２パッド２０において凹部２４の内側面２４ｄは空気調和機３０の上面３０Ｕと対向する。
【００８６】
以上のように、本実施形態のパッドセット１００において第１パッド１０、第２パッド２０のそれぞれは空気調和機３０の端部３０Ｌ、３０Ｒの両方に装着できるため、パッドセット１００の製造コストを抑制できる。また、空気調和機３０の端部３０Ｌ、３０Ｒごとに異なるパッドを用意する必要がないため、パッドの保管コストを低減できる。
【００８７】
なお、図５を参照して上述した比較例の空気調和機梱包体７００では、空気調和機３０の端部３０Ｌを覆う第１パッド６１０および空気調和機３０の端部３０Ｒを覆う第２パッド６２０を用意する場合、仮に、一方のパッドがないとすると、他方のパッドがあっても空気調和機３０を出荷できないことがある。例えば、第２パッド６２０がない場合、第１パッド６１０は空気調和機３０の端部３０Ｌに装着できる一方で、空気調和機３０の端部３０Ｒに装着できないため、空気調和機３０の端部３０Ｒを保護できない。
【００８８】
しかしながら、本実施形態のパッドセット１００では、第１パッド１０、第２パッド２０のそれぞれは空気調和機３０の端部３０Ｌ、３０Ｒの両方に装着できるため、空気調和機３０の出荷の停止を防止できる。
【００８９】
なお、図７（ａ）において、第１パッド１０の部分１２ｂ、１２ｄの形状および幅は略等しいことが好ましい。さらに、部分１２ａは対称面Ｓ１に対して面対称形状であることが好ましく、部分１２ｃは対称面Ｓ１に対して面対称形状であることが好ましい。同様に、図７（ｂ）において、第２パッド２０の部分２２ｂ、２２ｄの形状および幅は略等しいことが好ましい。さらに、部分２２ａは対称面Ｓ２に対して面対称形状であることが好ましく、部分２２ｃは対称面Ｓ２に対して面対称形状であることが好ましい。この場合、第１パッド１０および第２パッド２０は、穴１４ｈ、穴２４ｈだけでなく外周面１１、２１の形状も略等しくなるため、空気調和機３０を装着した後の第１パッド１０、第２パッド２０のＹ方向の位置およびＺ方向の位置を整合させることができる。
【００９０】
また、図６（ａ）および図６（ｂ）では、第１パッド１０の面１１ｃの端部に段差１１ｃａ、１１ｃｂが設けられ、第２パッド２０の面２１ｃの端部に段差２１ｃａ、２１ｃｂが設けられたが、本発明はこれに限定されない。第１パッド１０の面１１ｃおよび第２パッド２０の面２１ｃのそれぞれ中央に段差が設けられてもよい。ただし、この場合も、中央の段差が対称面Ｓ１、Ｓ２に対して面対称形状であることが好ましい。
【００９１】
本実施形態のパッドセット１００における第１パッド１０および第２パッド２０は例えば以下のように製造される。
【００９２】
図８は、第１パッド１０および第２パッド２０を製造するための製造装置９００の模式図である。図８に示すように、製造装置９００は、凸部金型９１０と、凹部金型９２０とを備える。
【００９３】
凸部金型９１０は凸部９１２を有しており、凹部金型９２０は凹部９２２を有している。凹部９２２の大きさは凸部９１２の大きさよりも大きい。凹部９２２と凸部９１２とを嵌合させた状態で凸部９１２と凹部９２２との間に第１パッド１０の原料を注入することで、第１パッド１０は製造される。
【００９４】
図６（ａ）を参照して上述した第１パッド１０の穴１４ｈは凸部９１２の形状によって規定される。また、図６（ａ）を参照して上述した第１パッド１０の外形は凹部金型９２０の形状によって規定される。
【００９５】
また、第２パッド２０は、第１パッド１０を製造するときと同じ凸部金型９１０および凹部金型９２０を用いて、第１パッド１０と同様に製造できる。製造装置９００により、第１パッド１０および第２パッド２０を製造できる。
【００９６】
なお、図１に示した空気調和機梱包体２００において第１パッド１０および第２パッド２０を両端部に装着した空気調和機３０を包装部材で包装してもよい。
【００９７】
図９は実施形態１の空気調和機梱包体２００の模式的な分解斜視図である。空気調和機梱包体２００は、パッドセット１００および空気調和機３０に加えて包装部材４０をさらに備える。
【００９８】
空気調和機３０の端部３０Ｌにはパッドセット１００の第１パッド１０が装着されており、空気調和機３０の端部３０Ｒにはパッドセット１００の第２パッド２０が装着されている。なお、図６を参照して上述したように、第１パッド１０の外周面１１には段差１１ｃａ、１１ｃｂが設けられており、第２パッド２０の外周面２１には段差２１ｃａ、２１ｃｂが設けられる。
【００９９】
包装部材４０は中空形状であり、包装部材４０の内周および外周は略直方体形状である。包装部材４０は、例えば段ボールから形成される。包装部材４０の内周は、第１パッド１０、第２パッド２０の外周面１１、２１のそれぞれよりも大きく、パッドセット１００を装着した空気調和機３０は包装部材４０の内部に挿入される。
【０１００】
包装部材４０は、上面４０Ｓ１と、前面４０Ｓ２と、底面４０Ｓ３と、背面４０Ｓ４と、左側面４０Ｓ５と、右側面４０Ｓ６と、接続部４０Ｓｃとを有する。包装部材４０の外周面は、上面４０Ｓ１と、前面４０Ｓ２と、底面４０Ｓ３と、背面４０Ｓ４とによって構成される。上面４０Ｓ１と、前面４０Ｓ２と、底面４０Ｓ３と、背面４０Ｓ４と、接続部４０Ｓｃとは順番に同一方向に連結しており、左側面４０Ｓ５および右側面４０Ｓ６は底面４０Ｓ３の両端にそれぞれ連結している。
【０１０１】
なお、接続部４０Ｓｃを上面４０Ｓ１と重ねて上面４０Ｓ１の裏面に貼り付けることで背面４０Ｓ４と上面４０Ｓ１の外周が連続する。接続部４０Ｓｃと上面４０Ｓ１との接続は接着剤を用いてもよくステープラー等を用いても行ってもよい。接続部４０Ｓｃが上面４０Ｓ１の一部と重畳することにより、包装部材４０は中空形状を維持できる。なお、接続部４０Ｓｃは、包装部材４０の内周の＋Ｚ方向側および＋Ｙ方向側に位置し、Ｘ方向に沿って延びる。
【０１０２】
上述したように、第１パッド１０の外周面１１には段差１１ｃａ、１１ｃｂが設けられており、第２パッド２０の外周面２１には段差２１ｃａ、２１ｃｂが設けられる。パッドセット１００の装着された空気調和機３０を包装部材４０の内部に挿入すると、包装部材４０の接続部４０Ｓｃは、第２パッド２０の段差２１ｃａおよび第１パッド１０の段差１１ｃｂと係合する。このため、空気調和機３０を包装部材４０に効率よく挿入できる。
【０１０３】
なお、空気調和機３０の挿入された包装部材４０が複数段積まれることがある。このため、包装部材４０の前面４０Ｓ２および背面４０Ｓ４のＹ方向の高さは略等しいことが好ましい。
【０１０４】
図９では、空気調和機３０は、図２（ｂ）に示した空気調和機３０の正面３０Ｆが鉛直上方になるように配置して包装部材４０に挿入される。図２（ｂ）および図９から理解されるように、空気調和機３０を包装部材４０に挿入すると、空気調和機３０の上面３０Ｕ、正面３０Ｆ、底面３０Ｄ、背面３０Ｂ、左側面３０Ｓ１、右側面３０Ｓ２は、包装部材４０の背面４０Ｓ４、上面４０Ｓ１、前面４０Ｓ２、底面４０Ｓ３、左側面４０Ｓ５、右側面４０Ｓ６とそれぞれ対向する。
【０１０５】
なお、図９では、空気調和機３０は、図２（ｂ）に示した空気調和機３０の正面３０Ｆが鉛直上方になるように配置して包装部材４０に挿入されたが、梱包時の空気調和機３０の配置はこれに限定されない。例えば、図２（ｂ）および図９から理解されるように、空気調和機３０の上面３０Ｕが鉛直上方になるように配置してもよい。この場合、包装部材４０の上面４０Ｓ１、前面４０Ｓ２、底面４０Ｓ３、背面４０Ｓ４、左側面４０Ｓ５、右側面４０Ｓ６は、図２（ｂ）を参照して上述した空気調和機３０の上面３０Ｕ、正面３０Ｆ、底面３０Ｄ、背面３０Ｂ、左側面３０Ｓ１、右側面３０Ｓ２とそれぞれ対向する。
【０１０６】
図１０（ａ）は空気調和機梱包体２００における包装部材４０の模式的な展開図である。包装部材４０は、上面４０Ｓ１と、前面４０Ｓ２と、底面４０Ｓ３と、背面４０Ｓ４と、左側面４０Ｓ５と、右側面４０Ｓ６と、接続部４０Ｓｃと、フラップ４０Ｆ１と、フラップ４０Ｆ２とを有している。
【０１０７】
包装部材４０では、Ｚ方向に、上面４０Ｓ１、前面４０Ｓ２、底面４０Ｓ３、背面４０Ｓ４および接続部４０Ｓｃの順番に連結されている。なお、上面４０Ｓ１、前面４０Ｓ２、底面４０Ｓ３、背面４０Ｓ４および接続部４０ＳｃのそれぞれのＸ方向の長さは略等しい。また、包装部材４０では、Ｘ方向に、フラップ４０Ｆ１、右側面４０Ｓ６、底面４０Ｓ３、左側面４０Ｓ５およびフラップ４０Ｆ２の順番に連結されている。
【０１０８】
中空形状の包装部材４０は以下のように作製される。図１０（ａ）に示したように展開される包装部材４０は、まず、底面４０Ｓ３に対して前面４０Ｓ２および背面４０Ｓ４を折り曲げ、さらに、前面４０Ｓ２に対して上面４０Ｓ１を折り曲げることで、上面４０Ｓ１と接続部４０Ｓｃとを重畳し、上面４０Ｓ１と接続部４０Ｓｃを接続する。これにより、包装部材４０を環状に形成する。
【０１０９】
その後、底面４０Ｓ３に対して左側面４０Ｓ５を折り曲げ、さらに左側面４０Ｓ５に対してフラップ４０Ｆ１を折り曲げて、包装部材４０の環状の内側にフラップ４０Ｆ１を挿入する。同様に、底面４０Ｓ３に対して右側面４０Ｓ６を折り曲げ、さらに右側面４０Ｓ６に対してフラップ４０Ｆ２を折り曲げて、包装部材４０の環状の内側にフラップ４０Ｆ２を挿入する。以上のようにして、中空形状の包装部材４０が作製される。
【０１１０】
なお、包装部材４０の保管容積を低減するために、包装部材４０は、空気調和機３０の搬送および保管の開始直前に中空形状に作製されることが多い。包装部材４０の使用前には、包装部材４０は、上面４０Ｓ１を接続部４０Ｓｃに接続させて包装部材４０を環状に形成した後、底面４０Ｓ３に対して左側面４０Ｓ５および右側面４０Ｓ６を折り曲げることなく環状の包装部材４０を折り畳んだ状態で保管される。
【０１１１】
図１０（ｂ）は折り畳まれた包装部材４０の模式的な側面図である。図１０（ｂ）では、発明の理解を容易にするために、左側面４０Ｓ５およびフラップ４０Ｆ１を省略している。折り畳まれた包装部材４０では、鉛直下方に前面４０Ｓ２および底面４０Ｓ３が位置し、鉛直上方に上面４０Ｓ１、接続部４０Ｓｃおよび背面４０Ｓ４が位置する。
【０１１２】
図１０（ｂ）に示したように、包装部材４０が折り畳まれた場合に包装部材４０の厚さ（Ｙ方向の長さ）を小さくするためには、上面４０Ｓ１の長さは底面４０Ｓ３の長さよりも若干大きいことが好ましい。
【０１１３】
上述したように、空気調和機３０の挿入された包装部材４０が複数段積まれることがあるため、包装部材４０の前面４０Ｓ２および背面４０Ｓ４のＺ方向の長さが等しいことが好ましい。この場合、包装部材４０の厚さが極めて薄ければ、上面４０Ｓ１および底面４０Ｓ３のＺ方向の長さが等しくても、包装部材４０を充分に薄く折り畳むことができる。
【０１１４】
一方で、包装部材４０がある程度の厚さを有する場合、包装部材４０を充分に薄く折り畳むためには、上面４０Ｓ１のＺ方向の長さは底面４０Ｓ３のＺ方向の長さよりも大きいことが好ましい。この場合、長さの差は包装部材４０の厚さ程度であることが好ましい。例えば、上面４０Ｓ１のＺ方向の長さと底面４０Ｓ３のＺ方向の長さとの差は１ｍｍ以上２０ｍｍ以下であることが好ましい。
【０１１５】
なお、上面４０Ｓ１が底面４０Ｓ３よりも長い場合、図９に示すように包装部材４０を組みたてると、包装部材４０は、底面４０Ｓ３側よりも上面４０Ｓ１側の長さの長い台形形状になることがある。この場合、空気調和機３０を包装部材４０に挿入した後の包装部材４０と第１パッド１０および第２パッド２０との間の間隔を均一化するために、第１パッド１０および第２パッド２０は、図６（ａ）および図６（ｂ）を参照して上述したようにそれぞれ台形形状であることが好ましい。
【０１１６】
なお、図９および図１０（ａ）に示した包装部材４０では、底面４０Ｓ３は、−Ｘ方向側に左側面４０Ｓ５およびフラップ４０Ｆ１と連結されており、＋Ｘ方向側に右側面４０Ｓ６およびフラップ４０Ｆ２と連結されていたが、本発明はこれに限定されない。包装部材４０は、左側面４０Ｓ５、右側面４０Ｓ６、フラップ４０Ｆ１およびフラップ４０Ｆ２を有さなくてもよい。この場合、包装部材４０は筒形状である。
【０１１７】
なお、図１から図１０を参照して説明したパッドセット１００では、第１パッド１０および第２パッド２０はそれぞれ一体に形成されていたが、本発明はこれに限定されない。第１パッド１０は複数の部品に分離可能であり、同様に、第２パッド２０は複数の部品に分離可能であってもよい。
【０１１８】
図１１（ａ）は実施形態１のパッドセット１００における第１パッド１０の模式的な正面図であり、図１１（ｂ）は実施形態１のパッドセット１００における第２パッド２０の模式的な正面図である。
【０１１９】
ここでは、第１パッド１０は４つの部品に分けられる。第１パッド１０は、部品１０Ａと、部品１０Ｂと、部品１０Ｃと、部品１０Ｄとを含む。部品１０Ａ、部品１０Ｂ、部品１０Ｃおよび部品１０Ｄのそれぞれは、第１パッド１０を正面視した場合の４つの角のうちの１つの角に対応する。部品１０Ａ、部品１０Ｂ、部品１０Ｃおよび部品１０Ｄのそれぞれは穴１４ｈの対応する一部を規定する。部品１０Ａ、部品１０Ｂ、部品１０Ｃおよび部品１０Ｄを組み合わせることで第１パッド１０を形成できる。
【０１２０】
同様に、第２パッド２０は４つの部品に分けられる。第２パッド２０は、部品２０Ａと、部品２０Ｂと、部品２０Ｃと、部品２０Ｄとを含む。部品２０Ａ、部品２０Ｂ、部品２０Ｃおよび部品２０Ｄのそれぞれは、第２パッド２０を正面視した場合の４つの角のうちの２つの角に対応する。部品２０Ａ、部品２０Ｂ、部品２０Ｃおよび部品２０Ｄのそれぞれは穴２４ｈの対応する一部を規定する。部品２０Ａ、部品２０Ｂ、部品２０Ｃおよび部品２０Ｄを組み合わせることで第２パッド２０を形成できる。
【０１２１】
なお、第１パッド１０は、部品１０Ａ、部品１０Ｂ、部品１０Ｃおよび部品１０Ｄを接着することによって構成されてもよい。あるいは、隣接する部品同士を係合することで部品１０Ａ、部品１０Ｂ、部品１０Ｃおよび部品１０Ｄから第１パッド１０を形成してもよい。例えば、部品１０Ａおよび部品１０Ｂの接触する界面において、部品１０Ａに凸部を設け、部品１０Ｂに部品１０Ａの凸部と係合する凹部を設けることにより、隣接する部品１０Ａおよび部品１０Ｂを係合させてもよい。さらには、部品１０Ａ、部品１０Ｂ、部品１０Ｃおよび部品１０Ｄを空気調和機３０の端部３０Ｌの周囲に適切に配置した後、環状部材で部品１０Ａ、部品１０Ｂ、部品１０Ｃおよび部品１０Ｄの周囲を囲むことで空気調和機３０の端部３０Ｌに部品１０Ａ、部品１０Ｂ、部品１０Ｃおよび部品１０Ｄを固定してもよい。同様に、第２パッド２０は、部品２０Ａ、部品２０Ｂ、部品２０Ｃおよび部品２０Ｄの接着、係合または固定によって形成されてもよい。
【０１２２】
なお、図１１では、第１パッド１０および第２パッド２０はそれぞれ４つの部品に分けたが、本発明はこれに限定されない。第１パッド１０および第２パッド２０は任意の複数の部品に分けられてもよい。なお、第１パッド１０および第２パッド２０の分けられる部品の数は等しいことが好ましい。
【０１２３】
なお、図４および図６に示したパッドセット１００では、第１パッド１０および第２パッド２０は、図９に示した凸部金型９１０および凹部金型９２０を用いて作製できる。同一の凸部金型９１０および凹部金型９２０を用いて作製する場合、第１パッド１０の穴１４ｈおよび外周面１１の形状は第２パッド２０の穴２４ｈおよび外周面２１の形状と等しい。しかしながら、本実施形態はこれに限定されない。
【０１２４】
例えば、図８を参照して上述したように、第１パッド１０は、凸部９１２を有する凸部金型９１０および凹部９２２を有する凹部金型９２０を用いて作製する一方で、第２パッド２０は、凸部９１２を有する凸部金型９１０および凹部９２２よりも大きい凹部を有する別の凹部金型を用いて作製する。この場合、第１パッド１０の穴１４ｈおよび第２パッド２０の穴２４ｈを等しくする一方で、第１パッド１０の外周面１１の形状を第２パッド２０の外周面２１の形状と異ならせることもできる。なお、この場合でも、第１パッド１０および第２パッド２０のそれぞれが空気調和機３０の端部３０Ｌおよび端部３０Ｌの両方に装着できることは言うまでもない。
【０１２５】
また、図４、図６および図７を参照した上述の説明では、第１パッド１０の基準部１２は平坦であり、第２パッド２０の基準部２２は平坦であったが、本発明はこれに限定されない。基準部１２、２２は平坦でなくてもよく、用途に応じて凹部および／または凸部が設けられてもよい。
【０１２６】
また、図１〜図１１を参照して上述した実施形態１のパッドセット１００では、第１パッド１０の対称面Ｓ１および第２パッド２０の対称面Ｓ２はそれぞれＹ方向に平行であり、対称面Ｓ１、Ｓ２は、基準内周面である内側面１４ａ、２４ａと直交したが、本発明はこれに限定されない。
【０１２７】
以下、図１２および図１３を参照して本発明による実施形態２のパッドセット１００および空気調和機梱包体２００を説明する。
【０１２８】
図１２（ａ）は本発明による実施形態２のパッドセット１００の第１パッド１０を正面視した模式図であり、図１２（ｂ）は実施形態２のパッドセット１００の第２パッド２０を正面視した模式図である。本実施形態の空気調和機梱包体２００は、第１パッド１０および第２パッド２０の構成が異なる点を除き、図１〜図１１を参照して上述した空気調和機梱包体２００と同様の構成を有している。このため、冗長を避ける目的で重複する記載を省略する。
【０１２９】
図１２（ａ）に示すように、第１パッド１０の開口面１０ｐは、基準部１２と凹部１４とを有する。凹部１４は基準部１２から凹んだ穴１４ｈを規定する。
【０１３０】
基準部１２の外周面１１は４つの面１１ａ、１１ｂ、１１ｃ、１１ｄを有する。面１１ａは面１１ｂ、１１ｄと連絡しており、面１１ｃは面１１ｂ、１１ｄと連絡する。面１１ａ、１１ｄはいずれも略平坦面であり、面１１ｂ、１１ｄは面１１ａに直交する。なお、面１１ｂ、１１ｃは略平坦面であるが、その一端に段差１１ｂａ、１１ｃａが設けられる。
【０１３１】
面１１ｂは、本体部１１ｂ１と、端部１１ｂ２と、連絡部１１ｂｐとを有する。端部１１ｂ２は、面１１ｂのうちの面１１ａ側に位置しており、面１１ａと連絡する。連絡部１１ｂｐは、本体部１１ｂ１と端部１１ｂ２とを連絡する。本体部１１ｂ１および端部１１ｂ２はいずれも面１１ａと略直交する。連絡部１１ｂｐは面１１ａと略平行である。本体部１１ｂ１のＹ方向の長さは端部１１ｂ２のＹ方向の長さよりも大きい。端部１１ｂ２は本体部１１ｂ１よりも面１１ｄ側に位置する。本体部１１ｂ１が連絡部１１ｂｐを介して端部１１ｂ２と連絡することにより、段差１１ｂａが形成される。
【０１３２】
面１１ｃは、本体部１１ｃ１と、端部１１ｃ２と、連絡部１１ｃｐとを有する。端部１１ｃ２は、面１１ｃのうちの面１１ｄ側に位置しており、面１１ｄと連絡する。連絡部１１ｃｐは、本体部１１ｃ１と端部１１ｃ２とを連絡する。本体部１１ｃ１および端部１１ｃ２はいずれも面１１ｄと略直交する。連絡部１１ｃｐは面１１ｄと略平行である。本体部１１ｃ１のＺ方向の長さは端部１１ｃ２のＺ方向の長さよりも大きい。端部１１ｃ２は本体部１１ｃ１よりも面１１ａ側に位置する。本体部１１ｃ１が連絡部１１ｃｐを介して端部１１ｃ２と連絡することにより、段差１１ｃａが形成される。
【０１３３】
面１１ａのＺ方向の長さは面１１ｄのＹ方向の長さと略等しいことが好ましい。また、面１１ｂのＹ方向の長さは面１１ｃのＺ方向の長さと略等しいことが好ましい。
【０１３４】
第１パッド１０において、穴１４ｈは凹部１４によって規定される。凹部１４は４つの内側面１４ａ、１４ｂ、１４ｃ、１４ｄおよび底面１４ｅを有する。内側面１４ａ、１４ｂ、１４ｃ、１４ｄのそれぞれは底面１４ｅと連絡する。内側面１４ａは内側面１４ｂ、１４ｄと連絡しており、内側面１４ｃは内側面１４ｂ、１４ｄと連絡する。内側面１４ａのＺ方向の長さは内側面１４ｄのＹ方向の長さと略等しい。また、内側面１４ｂのＹ方向の長さは内側面１４ｃのＺ方向の長さと略等しい。
【０１３５】
内側面１４ａ、１４ｄは略平坦面である。内側面１４ｂは内側面１４ａの近傍では内側面１４ａと略直交するが、内側面１４ｃの近傍では大きく内側に曲がる。内側面１４ｃは内側面１４ｄの近傍では内側面１４ｄと略直交するが、内側面１４ｂの近傍では大きく内側に曲がる。なお、内側面１４ｄが略平坦面であるのは、内側面１４ｄが図２（ｂ）に示した空気調和機３０の背面３０Ｂと対向するためである。第１パッド１０において、内側面１４ｄが基準内側面となる。
【０１３６】
基準部１２は、部分１２ａと、部分１２ｂと、部分１２ｃと、部分１２ｄとを含む。部分１２ａは、外周面１１の面１１ａと凹部１４の内側面１４ａとによって規定される。部分１２ｂは、外周面１１の面１１ｂと凹部１４の内側面１４ｂとによって規定される。部分１２ｃは、外周面１１の面１１ｃと凹部１４の内側面１４ｃとによって規定される。部分１２ｄは、外周面１１の面１１ｄと凹部１４の内側面１４ｄとによって規定される。
【０１３７】
内側面１４ａ、１４ｂ、１４ｃ、１４ｄは基準部１２に対して直交する。詳細には、内側面１４ａは部分１２ａと連絡して部分１２ａに対して直交しており、内側面１４ｂは部分１２ｂと連絡して部分１２ｂに対して直交しており、内側面１４ｃは部分１２ｃと連絡して部分１２ｃに対して直交しており、内側面１４ｄは部分１２ｄと連絡して部分１２ｄに対して直交している。
【０１３８】
第１パッド１０の開口面１０ｐを平面視した場合、第１パッド１０の穴１４ｈは対称面Ｓ１を基準とする面対称形状である。ここでは、対称面Ｓ１は、内側面１４ａと内側面１４ｄとの境界、および、内側面１４ｂと内側面１４ｃとの境界を通る。このため、対称面Ｓ１は、穴１４ｈを規定する内側面１４ａ、１４ｂ、１４ｃ、１４ｄのそれぞれと交差する。したがって、対称面Ｓ１は基準内側面である内側面１４ｄと交差する。
【０１３９】
さらに、第１パッド１０では、第１パッド１０の開口面１０ｐを平面視した場合、基準部１２の外周面１１が対称面Ｓ１を基準とする面対称形状であることが好ましい。ここでは、対称面Ｓ１は、面１１ａと面１１ｄとの境界、および、面１１ｂと面１１ｃとの境界を通る。
【０１４０】
なお、第１パッド１０において、面１１ｂのうちの本体部１１ｂ１と端部１１ｂ２とのＹ方向の長さの和は、面１１ｄのＹ方向の長さよりも若干長いことが好ましい。例えば、本体部１１ｂ１と端部１１ｂ２とのＹ方向の長さの和と面１１ｄのＹ方向の長さとの差は１ｍｍ以上２０ｍｍ以下である。この場合、面１１ａおよび面１１ｃは互いに略平行であるものの、面１１ｂ近傍での面１１ａと面１１ｃとの距離は面１１ｄ近傍での面１１ａと面１１ｃとの距離よりも若干長い。
【０１４１】
図１２（ｂ）に示すように、第２パッド２０の開口面２０ｐは、基準部２２と凹部２４とを有する。第２パッド２０は第１パッド１０と同様の形状を有している。凹部２４は基準部２２から凹んだ穴２４ｈを規定する。
【０１４２】
基準部２２の外周面２１は４つの面２１ａ、２１ｂ、２１ｃ、２１ｄを有する。面２１ａは面２１ｂ、２１ｄと連絡しており、面２１ｃは面２１ｂ、２１ｄと連絡する。面２１ａ、２１ｄはいずれも略平坦面であり、面２１ｂ、２１ｄは面２１ａに直交する。なお、面２１ｂ、２１ｃは略平坦面であるが、その一端に段差２１ｂａ、２１ｃａが設けられる。
【０１４３】
面２１ｂは、本体部２１ｂ１と、端部２１ｂ２と、連絡部２１ｂｐとを有する。端部２１ｂ２は、面２１ｂのうちの面２１ａ側に位置しており、面２１ａと連絡する。連絡部２１ｂｐは、本体部２１ｂ１と端部２１ｂ２とを連絡する。本体部２１ｂ１および端部２１ｂ２はいずれも面２１ａと略直交する。連絡部２１ｂｐは面２１ａと略平行である。本体部２１ｂ１のＹ方向の長さは端部２１ｂ２のＹ方向の長さよりも大きい。端部２１ｂ２は本体部２１ｂ１よりも面２１ｄ側に位置する。本体部２１ｂ１が連絡部２１ｂｐを介して端部２１ｂ２と連絡することにより、段差２１ｂａが形成される。
【０１４４】
面２１ｃは、本体部２１ｃ１と、端部２１ｃ２と、連絡部２１ｃｐとを有する。端部２１ｃ２は、面２１ｃのうちの面２１ｄ側に位置しており、面２１ｄと連絡する。連絡部２１ｃｐは、本体部２１ｃ１と端部２１ｃ２とを連絡する。本体部２１ｃ１および端部２１ｃ２はいずれも面２１ｄと略直交する。連絡部２１ｃｐは面２１ｄと略平行である。本体部２１ｃ１のＺ方向の長さは端部２１ｃ２のＺ方向の長さよりも大きい。端部２１ｃ２は本体部２１ｃ１よりも面２１ａ側に位置する。本体部２１ｃ１が連絡部２１ｃｐを介して端部２１ｃ２と連絡することにより、段差２１ｃａが形成される。
【０１４５】
面２１ａのＺ方向の長さは面２１ｄのＹ方向の長さと略等しいことが好ましい。また、面２１ｂのＹ方向の長さは面２１ｃのＺ方向の長さと略等しいことが好ましい。
【０１４６】
第２パッド２０において、穴２４ｈは凹部２４によって規定される。凹部２４は４つの内側面２４ａ、２４ｂ、２４ｃ、２４ｄおよび底面２４ｅを有する。内側面２４ａ、２４ｂ、２４ｃ、２４ｄのそれぞれは底面２４ｅと連絡する。内側面２４ａは内側面２４ｂ、２４ｄと連絡しており、内側面２４ｃは内側面２４ｂ、２４ｄと連絡する。内側面２４ａのＺ方向の長さは内側面２４ｄのＹ方向の長さと略等しい。また、内側面２４ｂのＹ方向の長さは内側面２４ｃのＺ方向の長さと略等しい。
【０１４７】
内側面２４ａ、２４ｄは略平坦面である。内側面２４ｂは内側面２４ａの近傍では内側面２４ａと略直交するが、内側面２４ｃの近傍では大きく内側に曲がる。内側面２４ｃは内側面２４ｄの近傍では内側面２４ｄと略直交するが、内側面２４ｂの近傍では大きく内側に曲がる。なお、内側面２４ａが略平坦面であるのは、内側面２４ａが図２（ｂ）に示した空気調和機３０の背面３０Ｂと対向するためである。第２パッド２０において、内側面２４ａが基準内側面となる。
【０１４８】
基準部２２は、部分２２ａと、部分２２ｂと、部分２２ｃと、部分２２ｄとを含む。部分２２ａは、外周面２１の面２１ａと凹部２４の内側面２４ａとによって規定される。部分２２ｂは、外周面２１の面２１ｂと凹部２４の内側面２４ｂとによって規定される。部分２２ｃは、外周面２１の面２１ｃと凹部２４の内側面２４ｃとによって規定される。部分２２ｄは、外周面２１の面２１ｄと凹部２４の内側面２４ｄとによって規定される。
【０１４９】
内側面２４ａ、２４ｂ、２４ｃ、２４ｄは基準部２２に対して直交する。詳細には、内側面２４ａは部分２２ａと連絡して部分２２ａに対して直交しており、内側面２４ｂは部分２２ｂと連絡して部分２２ｂに対して直交しており、内側面２４ｃは部分２２ｃと連絡して部分２２ｃに対して直交しており、内側面２４ｄは部分２２ｄと連絡して部分２２ｄに対して直交している。
【０１５０】
第２パッド２０の開口面２０ｐを平面視した場合、第２パッド２０の穴２４ｈは対称面Ｓ２を基準とする面対称形状である。ここでは、対称面Ｓ２は、内側面２４ａと内側面２４ｄとの境界、および、内側面２４ｂと内側面２４ｃとの境界を通る。このため、対称面Ｓ２は、穴２４ｈを規定する内側面２４ａ、２４ｂ、２４ｃ、２４ｄのそれぞれと交差する。したがって、対称面Ｓ２は、基準内側面である内側面２４ａと交差する。
【０１５１】
さらに、第２パッド２０では、第２パッド２０の開口面２０ｐを平面視した場合、基準部２２の外周面２１が対称面Ｓ２を基準とする面対称形状であることが好ましい。ここでは、対称面Ｓ２は、面２１ａと面２１ｄとの境界、および、面２１ｂと面２１ｃとの境界を通る。
【０１５２】
なお、第２パッド２０において、面２１ｃのうちの本体部２１ｃ１と端部２１ｃ２とのＺ方向の長さの和は、面２１ａのＺ方向の長さよりも若干長いことが好ましい。例えば、本体部２１ｃ１と端部２１ｃ２とのＺ方向の長さの和と面２１ａのＺ方向の長さとの差は１ｍｍ以上２０ｍｍ以下である。この場合、面２１ｂおよび面２１ｄは互いに略平行であるものの、面２１ｃ近傍での面２１ｂと面２１ｄとの距離は面２１ａ近傍での面２１ｂと面２１ｄとの距離よりも若干長い。
【０１５３】
第１パッド１０は空気調和機３０の端部３０Ｌに装着される。また、第２パッド２０は空気調和機３０の端部３０Ｒに装着される。
【０１５４】
図１３（ａ）は実施形態２の空気調和機梱包体２００において空気調和機３０の装着された第１パッド１０を示す模式図であり、図１３（ｂ）は空気調和機梱包体２００において空気調和機３０の装着された第２パッド２０を示す模式図である。
【０１５５】
図１３（ａ）に示すように、空気調和機３０の端部３０Ｌは第１パッド１０に覆われる。空気調和機３０の端部３０Ｌにおいて、底面３０Ｄは第１パッド１０の内側面１４ａに対向し、正面３０Ｆは第１パッド１０の内側面１４ｂに対向し、上面３０Ｕは第１パッド１０の内側面１４ｃに対向し、背面３０Ｂは第１パッド１０の内側面１４ｄに対向する。
【０１５６】
なお、第１パッド１０は空気調和機３０の端部３０Ｌに装着された場合、第１パッド１０の凹部１４のほとんどは空気調和機３０の端部３０Ｌと隣接する。第１パッド１０の凹部１４と空気調和機３０との間隔は約１ｍｍ〜５ｍｍである。ただし、第１パッド１０の凹部１４のすべては空気調和機３０の端部３０Ｌと隣接しない。第１パッド１０と空気調和機３０の端部３０Ｌとの間に隙間Ｇａ、Ｇｂ、Ｇｃ、Ｇｄが生じる。
【０１５７】
隙間Ｇａは、穴１４ｈにおいて部分１２ａおよび部分１２ｂの境界の近傍箇所と空気調和機３０の底面３０Ｄおよび正面３０Ｆとの間に形成される。隙間Ｇｂは、穴１４ｈにおいて部分１２ｂのうちの部分１２ｃの近傍箇所と空気調和機３０の正面３０Ｆとの間に形成される。隙間Ｇｃは、穴１４ｈにおいて部分１２ｃのうちの部分１２ｂの近傍と空気調和機３０の上面３０Ｕとの間に形成される。隙間Ｇｄは、穴１４ｈにおいて部分１２ｄのうちの部分１２ａの近傍箇所と空気調和機３０の背面３０Ｂとの間に形成される。
【０１５８】
例えば、第１パッド１０の穴１４ｈのうち隙間Ｇａ、Ｇｂ、Ｇｃ、Ｇｄの和の占める割合は３０％以下であることが好ましい。隙間Ｇａ、Ｇｂ、Ｇｃ、Ｇｄの和の占める割合は、２０％以下であることがさらに好ましく、１０％以下であることがさらに好ましく、５％以下であることがさらに好ましい。
【０１５９】
また、例えば、第１パッド１０における基準部１２と凹部１４との境界線に対し、隙間Ｇａ、Ｇｂ、Ｇｃ、Ｇｄと接する部分の合計の割合は３０％以下であることが好ましい。隙間Ｇａ、Ｇｂ、Ｇｃ、Ｇｄと接する部分の合計の割合は、２０％以下であることがさらに好ましく、１０％以下であることがさらに好ましく、５％以下であることがさらに好ましい。
【０１６０】
ここで、第１パッド１０において、対称面Ｓ１上のそれぞれの点において、対称面Ｓ１から凹部１４までの距離は、対称面Ｓ１から垂直方向両側に空気調和機３０の筐体３０Ｈ表面まで達するまでの距離のうちのより長いほうの距離よりも長い。このため、第１パッド１０は空気調和機３０の端部３０Ｌに装着できる。
【０１６１】
図１３（ｂ）に示すように、空気調和機３０の端部３０Ｒは第２パッド２０に覆われる。空気調和機３０の端部３０Ｒにおいて、背面３０Ｂは第２パッド２０の内側面２４ａに対向し、上面３０Ｕは第２パッド２０の内側面２４ｂに対向し、正面３０Ｆは第２パッド２０の内側面２４ｃに対向し、底面３０Ｄは第２パッド２０の内側面２４ｄに対向する。
【０１６２】
なお、第２パッド２０は空気調和機３０の端部３０Ｒに装着された場合、第２パッド２０の凹部２４のほとんどは空気調和機３０の端部３０Ｒと隣接する。第２パッド２０の凹部２４と空気調和機３０との間隔は約１ｍｍ〜５ｍｍである。ただし、第２パッド２０の凹部２４のすべては空気調和機３０の端部３０Ｒと隣接しない。第２パッド２０と空気調和機３０の端部３０Ｒとの間に隙間Ｇｅ、Ｇｆ、Ｇｇ、Ｇｈが生じる。
【０１６３】
隙間Ｇｅは、穴２４ｈにおいて部分２２ａのうちの部分２２ｄの近傍箇所と空気調和機３０の背面３０Ｂとの間に形成される。隙間Ｇｆは、穴２４ｈにおいて部分２２ｂのうちの部分２２ｃの近傍と空気調和機３０の上面３０Ｕとの間に形成される。隙間Ｇｇは、穴２４ｈにおいて部分２２ｃのうちの部分２２ｂの近傍箇所と空気調和機３０の正面３０Ｆとの間に形成される。隙間Ｇｈは、穴２４ｈにおいて部分２２ｃと部分２２ｄとの境界の近傍箇所と空気調和機３０の正面３０Ｆおよび底面３０Ｄとの間に形成される。
【０１６４】
例えば、第２パッド２０の穴２４ｈのうち隙間Ｇｅ、Ｇｆ、Ｇｇ、Ｇｈの和の占める割合は３０％以下であることが好ましい。隙間Ｇｅ、Ｇｆ、Ｇｇ、Ｇｈの和の占める割合は、２０％以下であることがさらに好ましく、１０％以下であることがさらに好ましく、５％以下であることがさらに好ましい。
【０１６５】
また、例えば、第２パッド２０における基準部２２と凹部２４との境界線に対し、隙間Ｇｅ、Ｇｆ、Ｇｇ、Ｇｈと接する部分の合計の割合は３０％以下であることが好ましい。隙間Ｇｅ、Ｇｆ、Ｇｇ、Ｇｈと接する部分の合計の割合は、２０％以下であることがさらに好ましく、１０％以下であることがさらに好ましく、５％以下であることがさらに好ましい。
【０１６６】
なお、第２パッド２０における隙間Ｇｅの形状は第１パッド１０における隙間Ｇｄと略等しい形状であり、第２パッド２０における隙間Ｇｆは第１パッド１０における隙間Ｇｃと略等しい形状である。また、第２パッド２０における隙間Ｇｇの形状は第１パッド１０における隙間Ｇｂと略等しい形状であり、第２パッド２０における隙間Ｇｈは第１パッド１０における隙間Ｇａと略等しい形状である。
【０１６７】
ここで、第２パッド２０において、対称面Ｓ２上のそれぞれの点において、対称面Ｓ２から凹部２４までの距離は、対称面Ｓ２から垂直方向両側に空気調和機３０の筐体３０Ｈ表面まで達するまでの距離のうちのより長いほうの距離よりも長い。このため、第２パッド２０は空気調和機３０の端部３０Ｒに装着できる。
【０１６８】
なお、図１３（ａ）と図１３（ｂ）との比較から理解されるように、第１パッド１０および第２パッド２０において凹部１４の内側面１４ａは空気調和機３０の底面３０Ｄと対向し、凹部２４の内側面２４ａは空気調和機３０の背面３０Ｂと対向する。また、第１パッド１０および第２パッド２０において凹部１４の内側面１４ｂは空気調和機３０の正面３０Ｆと対向し、凹部２４の内側面２４ｂは空気調和機３０の上面３０Ｕと対向する。また、第１パッド１０および第２パッド２０において凹部１４の内側面１４ｃは空気調和機３０の上面３０Ｕと対向し、凹部２４の内側面２４ｃは空気調和機３０の正面３０Ｆと対向する。また、第１パッド１０および第２パッド２０において凹部１４の内側面１４ｄは空気調和機３０の背面３０Ｂと対向し、凹部２４の内側面２４ｄは空気調和機３０の底面３０Ｄと対向する。
【０１６９】
なお、図１２から図１３を参照して説明したパッドセット１００では、第１パッド１０および第２パッド２０はそれぞれ一体に形成されていたが、本発明はこれに限定されない。第１パッド１０は複数の部品に分離可能であり、同様に、第２パッド２０は複数の部品に分離可能であってもよい。
【０１７０】
図１４（ａ）は実施形態１のパッドセット１００における第１パッド１０の模式的な正面図であり、図１４（ｂ）は実施形態１のパッドセット１００における第２パッド２０の模式的な正面図である。
【０１７１】
ここでは、第１パッド１０は４つの部品に分けられる。第１パッド１０は、部品１０Ａと、部品１０Ｂと、部品１０Ｃと、部品１０Ｄとを含む。部品１０Ａ、部品１０Ｂ、部品１０Ｃおよび部品１０Ｄのそれぞれは、第１パッド１０を正面視した場合の４つの角のうちの１つの角に対応する。部品１０Ａ、部品１０Ｂ、部品１０Ｃおよび部品１０Ｄのそれぞれは穴１４ｈの対応する一部を規定する。部品１０Ａ、部品１０Ｂ、部品１０Ｃおよび部品１０Ｄを組み合わせることで第１パッド１０を形成できる。
【０１７２】
同様に、第２パッド２０は４つの部品に分けられる。第２パッド２０は、部品２０Ａと、部品２０Ｂと、部品２０Ｃと、部品２０Ｄとを含む。部品２０Ａ、部品２０Ｂ、部品２０Ｃおよび部品２０Ｄのそれぞれは、第２パッド２０を正面視した場合の４つの角のうちの１つの角に対応する。部品２０Ａ、部品２０Ｂ、部品２０Ｃおよび部品２０Ｄのそれぞれは穴２４ｈの対応する一部を規定する。部品２０Ａ、部品２０Ｂ、部品２０Ｃおよび部品２０Ｄを組み合わせることで第２パッド２０を形成できる。
【０１７３】
なお、第１パッド１０は、部品１０Ａ、部品１０Ｂ、部品１０Ｃおよび部品１０Ｄを接着することによって構成されてもよい。あるいは、隣接する部品同士を係合することで部品１０Ａ、部品１０Ｂ、部品１０Ｃおよび部品１０Ｄから第１パッド１０を形成してもよい。例えば、部品１０Ａおよび部品１０Ｂの接触する界面において、部品１０Ａに凸部を設け、部品１０Ｂに部品１０Ａの凸部と係合する凹部を設けることにより、隣接する部品１０Ａおよび部品１０Ｂを係合させてもよい。さらには、部品１０Ａ、部品１０Ｂ、部品１０Ｃおよび部品１０Ｄを空気調和機３０の端部３０Ｌの周囲に適切に配置した後、環状部材で部品１０Ａ、部品１０Ｂ、部品１０Ｃおよび部品１０Ｄの周囲を囲むことで空気調和機３０の端部３０Ｌに部品１０Ａ、部品１０Ｂ、部品１０Ｃおよび部品１０Ｄを固定してもよい。同様に、第２パッド２０は、部品２０Ａ、部品２０Ｂ、部品２０Ｃおよび部品２０Ｄの接着、係合または固定によって形成されてもよい。
【０１７４】
なお、図１〜図１４を参照して上述した説明では、第１パッド１０の穴１４ｈは空気調和機３０の端部３０Ｌに対応しており、第２パッド２０の穴２４ｈは空気調和機３０の端部３０Ｒに対応しており、穴１４ｈ、２４ｈと連結する別の穴は設けられていなかったが、本発明はこれに限定されない。第１パッド１０の穴１４ｈおよび第２パッド２０の穴２４ｈのうちの少なくとも一方は別の穴と連結してもよい。
【０１７５】
図１５（ａ）は本発明によるパッドセット１００の実施形態３における第１パッド１０の模式的な正面図であり、図１５（ｂ）は本実施形態のパッドセット１００における第２パッド２０の模式的な正面図であり、図１５（ｃ）は第２パッド２０の模式的な断面図である。なお、ここでは、第１パッド１０および第２パッド２０の装着される空気調和機３０の形状は、図１〜図１４を参照して上述した実施形態１、２において用いられた空気調和機３０の形状とは異なるが、冗長な説明を避けるために重複する記載を省略する。
【０１７６】
図１５（ａ）に示すように、第１パッド１０の穴１４ｈには空気調和機３０の端部３０Ｌが装着される。第１パッド１０と空気調和機３０との間には隙間Ｇａが形成される。
【０１７７】
図１５（ｂ）に示すように、第２パッド２０の穴２４ｈには空気調和機３０の端部３０Ｒが装着される。第２パッド２０と空気調和機３０との間には隙間Ｇｂが形成される。上述したように、隙間Ｇｂの形状は隙間Ｇａの形状に対応する。
【０１７８】
本実施形態のパッドセット１００では、穴２４ｈに連結する連結穴２４ｊが設けられている。連結穴２４ｊの深さは穴２４ｈよりも深い。連結穴２４ｊは、穴２４ｈのうち隙間Ｇｂの形成される領域に設けられている。
【０１７９】
連結穴２４ｊは、細穴２４ｊ１と太穴２４ｊ２とを含む。細穴２４ｊ１は太穴２４ｊ２と連絡している。細穴２４ｊ１は幅狭で長く、太穴２４ｊ２は幅広で短い。細穴２４ｊ１のＹ方向の長さは太穴２４ｊ２のＹ方向の長さよりも大きく、細穴２４ｊ１のＺ方向の長さは太穴２４ｊ２のＺ方向の長さよりも小さい。
【０１８０】
図１５（ｃ）に示すように、連結穴２４ｊは穴２４ｈよりも深い。連結穴２４ｊには、例えば、空気調和機３０の付属品５２、５４が挿入される。連結穴２４ｊのうち、細穴２４ｊ１には比較的細長い付属品５２が挿入される。例えば、細穴２４ｊ１には、付属品５２として、空気調和機３０の取扱説明書、マニュアル、保証書等の書類が挿入される。
【０１８１】
また、連結穴２４ｊのうち、太穴２４ｊ２には比較的幅広の付属品５４が挿入される。例えば、太穴２４ｊ２には空気調和機３０の付属品５４として遠隔操作器が挿入される。以上のように、必要に応じて、第１パッド１０の穴１４ｈおよび第２パッド２０の穴２４ｈの少なくとも一方に別の穴を連結させて適宜利用してもよい。
【０１８２】
以上、図面（図１〜図１５）を参照しながら本発明の実施形態を説明した。但し、本発明は、上記の実施形態に限られるものではなく、その要旨を逸脱しない範囲で種々の態様において実施することが可能である。また、図面は、発明を理解しやすくするために、それぞれの構成要素を主体に模式的に示しており、図示された各構成要素の厚み、長さ、個数等は、図面作成の都合上から実際とは異なってもよい。また、上記の実施形態で示す各構成要素の材質や形状、寸法等は一例であって、特に限定されるものではなく、本発明の効果から実質的に逸脱しない範囲で種々の変更が可能であることは言うまでもない。
【０１８３】
なお、図１から図１５を参照した説明では、第１パッド１０および第２パッド２０のそれぞれは略直方体形状のうちの１つの開口面１０ｐ、２０ｐに穴１４ｈ、２４ｈが設けられていたが、本発明はこれに限定されない。第１パッド１０および第２パッド２０の少なくとも一方には、開口面１０ｐ、２０ｐ面以外の面に任意の凹部または凸部が設けられてもよい。
【０１８４】
また、図１から図１５を参照した説明では、第１パッド１０の穴１４ｈは第１パッド１０を貫通せず、第１パッド１０の凹部１４は底面１４ｅを有しており、第２パッド２０の穴２４ｈは第２パッド２０を貫通せず、第２パッド２０の凹部２４は底面２４ｅを有していたが、本発明はこれに限定されない。第１パッド１０および第２パッド２０の少なくとも一方は貫通孔を有してもよい。この場合、穴１４ｈ、２４ｈよりも径の小さい穴が穴１４ｈ、２４ｈと連結した貫通孔が形成されることが好ましい。
【０１８５】
本願は更に以下の付記を開示する。なお、以下の付記は本発明を限定するものではない。
【０１８６】
（付記１）
空気調和機のパッドセットであって、
前記空気調和機の一方の端部を覆う第１パッドと、
前記空気調和機の他方の端部を覆う第２パッドと
を含み、
前記第１パッドは、基準部と、前記基準部から凹んだ穴を規定する凹部とを有する開口面とを有し、
前記第２パッドは、基準部と、前記基準部から凹んだ穴を規定する凹部とを有する開口面とを有し、
前記第１パッドの前記穴の形状は前記第２パッドの前記穴の形状と略等しい、パッドセット。
【０１８７】
（付記２）
前記第１パッドの前記開口面を平面視した場合、前記第１パッドの前記穴は対称面を基準とする面対称形状を有し、
前記第２パッドの前記開口面を平面視した場合、前記第２パッドの前記穴は対称面を基準とする面対称形状を有する、付記１に記載のパッドセット。
【０１８８】
（付記３）
前記第１パッドの前記穴の前記対称面は、前記第１パッドの前記穴を規定する内側面の一部と略平行であり、
前記第２パッドの前記穴の前記対称面は、前記第２パッドの前記穴を規定する内側面の一部と略平行である、付記２に記載のパッドセット。
【０１８９】
（付記４）
前記第１パッドの前記穴は基準内側面を有し、
前記第１パッドの前記穴の前記対称面は、前記第１パッドの前記穴の前記基準内側面に直交し、
前記第２パッドの前記穴は基準内側面を有し、
前記第２パッドの前記穴の前記対称面は、前記第２パッドの前記穴の前記基準内側面に直交する、付記２または３に記載のパッドセット。
【０１９０】
（付記５）
前記第１パッドの前記穴の前記対称面は前記第１パッドの前記穴を規定する内側面と交差し、
前記第２パッドの前記穴の前記対称面は前記第２パッドの前記穴を規定する内側面と交差する、付記２に記載のパッドセット。
【０１９１】
（付記６）
前記第１パッドの前記穴は基準内側面を有し、
前記第１パッドの前記穴の前記対称面は、前記第１パッドの前記穴の前記基準内側面と交差し、
前記第２パッドの前記穴は基準内側面を有し、
前記第２パッドの前記穴の前記対称面は、前記第２パッドの前記穴の前記基準内側面と交差する、付記２または５に記載のパッドセット。
【０１９２】
（付記７）
前記第１パッドの形状は前記第２パッドの形状と略等しい、付記１から６のいずれかに記載のパッドセット。
【０１９３】
（付記８）
前記第１パッドは、それぞれが前記第１パッドの前記穴の異なる一部を規定する複数の側面部を有し、
前記第２パッドは、それぞれが前記第２パッドの前記穴の異なる一部を規定する複数の側面部を有する、付記１から７のいずれかに記載のパッドセット。
【０１９４】
（付記９）
前記第２パッドには、前記穴と連結する連結穴が設けられる、付記１から４のいずれかに記載のパッドセット。
【０１９５】
（付記１０）
前記第１パッドは発泡体からなる第１発泡部材を含み、
前記第２パッドは発泡体からなる第２発泡部材を含む、付記１から９のいずれかに記載のパッドセット。
【０１９６】
（付記１１）
空気調和機と、
前記空気調和機の一方の端部を覆う第１パッドと、
前記空気調和機の他方の端部を覆う第２パッドと、
前記第１パッドおよび前記第２パッドで覆われた前記空気調和機を包装する包装部材と
を備え、
前記第１パッドは、基準部と、前記基準部から凹んだ穴を規定する凹部とを有する開口面を有し、
前記第２パッドは、基準部と、前記基準部から凹んだ穴を規定する凹部とを有する開口面を有し、
前記第１パッドの前記穴の形状は前記第２パッドの前記穴の形状と略等しく、
前記包装部材は、第１方向に順番に連結された第１面、第２面、第３面および第４面と、前記第４面と前記第１方向に連結され、前記第１面と前記４面とを接続する接続部とを有する、空気調和機梱包体。
【０１９７】
（付記１２）
前記第１パッドおよび前記第２パッドのうちの少なくとも一方のパッドは、前記空気調和機との間に隙間が生じるように前記空気調和機を覆う、付記１１に記載の空気調和機梱包体。
【産業上の利用可能性】
【０１９８】
本発明によれば、空気調和機の両端部を覆うパッドセットの製造コストを抑制できる。
【符号の説明】
【０１９９】
１０    第１パッド
２０    第２パッド
３０    空気調和機
１００    パッドセット
【図１】
2019099242.tif 000003
【図２】
2019099242.tif 000004
【図３】
2019099242.tif 000005
【図４】
2019099242.tif 000006
【図５】
2019099242.tif 000007
【図６】
2019099242.tif 000008
【図７】
2019099242.tif 000009
【図８】
2019099242.tif 000010
【図９】
2019099242.tif 000011
【図１０】
2019099242.tif 000012
【図１１】
2019099242.tif 000013
【図１２】
2019099242.tif 000014
【図１３】
2019099242.tif 000015
【図１４】
2019099242.tif 000016
【図１５】
2019099242.tif 000017